(57)【特許請求の範囲】
【請求項１】
互いに平行を成す第１縦枠材及び第２縦枠材、並びに互いに平行を成してこれら縦枠材同士を連結する複数の横桟材を備えた第１格子体と、互いに平行を成す第３縦枠材及び第４縦枠材、並びに互いに平行を成してこれら縦枠材同士を連結する複数の横桟材を備えた第２格子体とから成る面格子；建物開口部の上横枠及び下横枠に設けられていて、これら２組の格子体における上記各縦枠材の上下端部をそれぞれ支持する一対のガイド枠；を有し、少なくとも一方の格子体を該ガイド枠に沿って横方向に往復動させることにより、建物開口部を開閉可能とした横引き式の面格子装置において、
上記２組の格子体における各縦枠材が、一対のガイド枠により形成された同一軌道上に、第１縦枠材、第３縦枠材、第２縦枠材、第４縦枠材の順で直列配置されていて、上記第１格子体の各横桟材が上記第２格子体の第３縦枠材に設けられた貫通穴に挿通されると共に、上記第２格子体の各横桟材が上記第１格子体の第２縦枠材に設けられた貫通穴に挿通されており、上記２組の格子体を相対的に横方向に往復動させることにより、上記面格子を拡縮させることができるように構成されている、
ことを特徴とする横引き式面格子装置。
【請求項２】
上記２組の格子体それぞれにおいて、横桟材が上下方向に略等間隔に配設されていると共に、上記面格子において、両格子体の横桟材が上下方向に交互に配設されている、
ことを特徴とする請求項１に記載の横引き式面格子装置。
【請求項３】
上記軌道が上記一対のガイド枠にそれぞれ設けられた１本のガイド溝により形成されており、上記２組の格子体における各縦枠材の上下端部がそれぞれ該ガイド溝内に収容されて摺動自在に支持されている、
ことを特徴とする請求項１又は請求項２に記載の横引き式面格子装置。
【請求項４】
上記横引き式面格子装置が建物開口部における引き違い式窓の室内側に取り付けるためのもので、
上記一対のガイド枠の長さが建物開口部における上横枠及び下横枠とほぼ同じ長さに形成され、上記各格子体の横方向長さが互いにほぼ同じ長さに形成されていると共に、上記面格子の横方向の長さが、最も拡張させた状態においてガイド枠の長さよりも短くなるように構成されており、
上記面格子を最も収縮させてガイド枠の一端側に寄せた状態において、上記引き違い式窓のクレセント錠を室内側からの正面視で露出させることができるようになっている、
ことを特徴とする請求項３に記載の横引き式面格子装置。
【請求項５】
上記一対のガイド枠のうち少なくとも下側ガイド枠の他端側に、上記ガイド枠上における面格子の移動範囲を制限するストッパスプリングが設けられていて、
該ストッパスプリングが、ガイド溝の溝底に固定された板状の基部と、該基部と鋭角を成して弾性的に起倒する板状の跳ね上げ部とにより、上記面格子側に開口する楔状に形成されており、
上記跳ね上げ部の起立状態において面格子の移動を制限し、倒した状態において面格子の移動の制限を解除するように構成されている、
ことを特徴とする請求項４に記載の横引き式面格子装置。
【請求項６】
下側ガイド枠のガイド溝における対向する一対の側壁の各開口縁には、互いに対向する内向きの鍔部がそれぞれ長さ方向に沿って延設されていて、上記各縦枠材の下端部における該ガイド溝の一対の側壁と対向する各側面には、爪状部がそれぞれ突設されており、
該ガイド溝内におけるこれら爪状部と上記ガイド枠の鍔部との係合により、各縦枠材の該ガイド溝からの抜脱が阻止されるように構成されている、
ことを特徴とする請求項３〜５の何れかに記載の横引き式面格子装置。
【請求項７】
上記下側ガイド枠の各鍔部には、上記各爪状部を上下に挿通させるための切欠き部が開設されており、上記面格子を収縮させた状態で、これら爪状部を該切欠き部に挿通させて上記各縦枠材の下端部を下側ガイド枠のガイド溝に対し挿抜することにより、該面格子を上記一対のガイド枠に対し着脱することができるように構成されている、
ことを特徴とする請求項６に記載の横引き式面格子装置。
【請求項８】
上記一対のガイド枠がそれぞれ各ガイド溝の溝底を貫通する固定ネジにより上記建物開口部の上横枠及び下横枠に対し固定されるようになっていて、該固定ネジのネジ頭が、各ガイド溝内に設けられた隠しカバーにより各ガイド溝の開口側から隠蔽されている、
ことを特徴とする請求項３〜７の何れかに記載の横引き式面格子装置。
【請求項９】
上記２組の格子体における一対の縦枠材が、互いに背向してガイド枠の長さ方向に開口した断面略コ字形の枠部材と、各枠部材の開口に取り付けられた閉蓋部材とでそれぞれ構成されていて、上記横桟材がそれぞれ該枠部材の内部から固定ネジにより該枠部材に対し固定されており、
上記閉蓋部材が、上記枠部材の開口内に嵌め込まれて該開口を閉塞する蓋部と、該蓋部の内面側における両側端近傍に突設された一対の突起部と、これら突起部から内向きに互いに対向して突設された一対の係止爪部とを有し、
上記枠部材が、その両開口縁の内側にそれぞれ設けられて上記閉蓋部材の突起部を受ける一対の凹溝と、これら凹溝の内面から互いに背向して突設され上記閉蓋部材の係止爪部とそれぞれ係合する一対の係止突部とを有している、
ことを特徴とする請求項１〜８の何れかに記載の横引き式面格子装置。
【請求項１０】
上記面格子を最も拡張させた状態で保持するためのロック機構を備えている、
ことを特徴とする請求項１〜９の何れかに記載の横引き式面格子装置。
【請求項１１】
上記第１格子体の第２縦枠材及び第２格子体の第３縦枠材が、それぞれ中空に形成されていると共に、上記面格子を最も拡張させた状態で互いに当接する当接面を有し、
上記ロック機構が、これら縦枠材のうちの一方に設けられ、その内部から上記当接面を通じて出没するフックを備えた錠部と、これら縦枠材のうちの他方の上記当接面に配設され、上記フックと係脱可能に係合する係合部とから成り、
上記錠部が、上記一方の縦枠材の室内側側面に配設された鍵穴を有していて、該鍵穴に差し込んだ鍵の操作により、上記フックを上記係合部に対し係脱させることができるように構成されている、
ことを特徴とする請求項１０に記載の横引き式面格子装置。
【請求項１２】
上記錠部を設けた一方の縦枠材の室外側側面には、該縦枠材に対する錠部の取付作業に供される作業用孔が貫設されていて、該作業用孔を閉塞するための閉塞片が該縦枠材内部に配設されており、
該閉塞片は、該縦枠材内部における上記当接面の内側に固定される基部と、該縦枠材内部における上記室外側側面の内側に当接して上記作業用孔を閉塞する閉塞部とで構成されていて、上記基部が上記当接面を外側から貫通する固定ネジにより固定されている、
ことを特徴とする請求項１１に記載の横引き式面格子装置。
【請求項１３】
上記横桟部材が、異なる素材から成る複数の帯板状部材を上下に組み合わせることにより形成されている、
ことを特徴とする請求項１〜１２の何れかに記載の横引き式面格子装置。
【発明の詳細な説明】
【技術分野】
【０００１】
本発明は、特に防犯のために用いられ、建物開口部に装着して横引きにより開閉することが可能な面格子装置に関するものである。
【背景技術】
【０００２】
この種の横引き式面格子装置としては、例えば特許文献１に記載されているように、枠材の間に複数の桟材を架け渡して格子体を形成し、その格子体２組を建物開口部に対し引き違い状に装着して面格子としたものが知られている。
しかしながら、このような従来の面格子装置においては、建物開口部における上下の横枠にそれぞれ各格子体を摺動自在に案内するためのガイド枠を２本並行させて固定し、格子体ごとに別々の独立した軌道を確保する必要があり、また、格子体の剛性や防犯上の安全性等の確保を考慮すると各縦枠材や横桟材の厚みを抑えるのにも限界があるため、ガイド枠を含めた面格子装置全体としての厚みが大きくならざるを得ず、建物開口部に比較的大きな装着幅を必要としていた。
【特許文献１】特開平２００５−１９４７１８
【発明の開示】
【発明が解決しようとする課題】
【０００３】
本発明の技術的課題は、横引き式の面格子装置において、十分な剛性や防犯上の安全性を確保しながらも、装置全体の厚みを抑制することが可能なものを提供することにある。
【課題を解決するための手段】
【０００４】
上記課題を解決するため、本発明の横引き式面格子装置は、互いに平行を成す第１縦枠材及び第２縦枠材、並びに互いに平行を成してこれら縦枠材同士を連結する複数の横桟材を備えた第１格子体と、互いに平行を成す第３縦枠材及び第４縦枠材、並びに互いに平行を成してこれら縦枠材同士を連結する複数の横桟材を備えた第２格子体とから成る面格子；建物開口部の上横枠及び下横枠に設けられていて、これら２組の格子体における上記各縦枠材の上下端部をそれぞれ支持する一対のガイド枠；を有し、少なくとも一方の格子体を該ガイド枠に沿って横方向に往復動させることにより、建物開口部を開閉可能とした横引き式の面格子装置において、上記２組の格子体における各縦枠材が、一対のガイド枠により形成された同一軌道上に、第１縦枠材、第３縦枠材、第２縦枠材、第４縦枠材の順で直列配置されていて、上記第１格子体の各横桟材が上記第２格子体の第３縦枠材に設けられた貫通穴に挿通されると共に、上記第２格子体の各横桟材が上記第１格子体の第２縦枠材に設けられた貫通穴に挿通されており、上記２組の格子体を相対的に横方向に往復動させることにより、上記面格子を拡縮させることができるように構成されていることを特徴とするものである。
【０００５】
具体的には、上記２組の格子体それぞれにおいて、横桟材が上下方向に略等間隔に配設されていると共に、上記面格子において、両格子体の横桟材が上下方向に交互に配設されている。
そして、上記軌道が上記一対のガイド枠にそれぞれ設けられた１本のガイド溝により形成されており、上記２組の格子体における各縦枠材の上下端部がそれぞれ該ガイド溝内に収容されて摺動自在に支持されている。
【０００６】
本発明の横引き式面格子装置は、建物開口部における引き違い式窓の室内側に取り付けるのに好適なものであり、そのとき、上記一対のガイド枠の長さが建物開口部における上横枠及び下横枠とほぼ同じ長さに形成され、上記各格子体の横方向長さが互いにほぼ同じ長さに形成されていると共に、上記面格子の横方向の長さが、最も拡張させた状態においてガイド枠の長さよりも短くなるように構成されており、上記面格子を最も収縮させてガイド枠の一端側に寄せた状態において、上記引き違い式窓のクレセント錠を室内側からの正面視で露出させることができるようになっているのが望ましい。
さらに、上記一対のガイド枠のうち少なくとも下側ガイド枠の他端側に、上記ガイド枠上における面格子の移動範囲を制限するストッパスプリングが設けられていて、該ストッパスプリングが、ガイド溝の溝底に固定された板状の基部と、該基部と鋭角を成して弾性的に起倒する板状の跳ね上げ部とにより、上記面格子側に開口する楔状に形成されており、上記跳ね上げ部の起立状態において面格子の移動を制限し、倒した状態において面格子の移動の制限を解除するように構成されているとなお望ましい。
【０００７】
本発明の面格子装置の他の好ましい実施形態においては、下側ガイド枠のガイド溝における対向する一対の側壁の各開口縁には、互いに対向する内向きの鍔部がそれぞれ長さ方向に沿って延設されていて、上記各縦枠材の下端部における該ガイド溝の一対の側壁と対向する各側面には、爪状部がそれぞれ突設されており、該ガイド溝内におけるこれら爪状部と上記ガイド枠の鍔部との係合により、各縦枠材の該ガイド溝からの抜脱が阻止されるように構成されている。
その場合、上記下側ガイド枠の各鍔部には、上記各爪状部を上下に挿通させるための切欠き部が開設されており、上記面格子を収縮させた状態で、これら爪状部を該切欠き部に挿通させて上記各縦枠材の下端部を下側ガイド枠のガイド溝に対し挿抜することにより、該面格子を上記一対のガイド枠に対し着脱することができるように構成されているのが望ましい。
【０００８】
また、本発明の面格子装置の他の好ましい実施形態においては、上記一対のガイド枠がそれぞれ各ガイド溝の溝底を貫通する固定ネジにより上記建物開口部の上横枠及び下横枠に対し固定されるようになっていて、該固定ネジのネジ頭が、各ガイド溝内に設けられた隠しカバーにより各ガイド溝の開口側から隠蔽されている。
そして、上記２組の格子体における一対の縦枠材が、互いに背向してガイド枠の長さ方向に開口した断面略コ字形の枠部材と、各枠部材の開口に取り付けられた閉蓋部材とでそれぞれ構成されていて、上記横桟材がそれぞれ該枠部材の内部から固定ネジにより該枠部材に対し固定されており、上記閉蓋部材が、上記枠部材の開口内に嵌め込まれて該開口を閉塞する蓋部と、該蓋部の内面側における両側端近傍に突設された一対の突起部と、これら突起部から内向きに互いに対向して突設された一対の係止爪部とを有し、上記枠部材が、その両開口縁の内側にそれぞれ設けられて上記閉蓋部材の突起部を受ける一対の凹溝と、これら凹溝の内面から互いに背向して突設され上記閉蓋部材の係止爪部とそれぞれ係合する一対の係止突部とを有している。
【０００９】
さらに、本発明の面格子装置の他の好ましい実施形態においては、上記面格子を最も拡張させた状態で保持するためのロック機構を備えている。ここで、上記第１格子体の第２縦枠材及び第２格子体の第３縦枠材が、それぞれ中空に形成されていると共に、上記面格子を最も拡張させた状態で互いに当接する当接面を有し、上記ロック機構が、これら縦枠材のうちの一方に設けられ、その内部から上記当接面を通じて出没するフックを備えた錠部と、これら縦枠材のうちの他方の上記当接面に配設され、上記フックと係脱可能に係合する係合部とから成り、上記錠部が、上記一方の縦枠材の室内側側面に配設された鍵穴を有していて、該鍵穴に差し込んだ鍵の操作により、上記フックを上記係合部に対し係脱させるように構成することができる。
その場合、上記錠部を設けた一方の縦枠材の室外側側面には、該縦枠材に対する錠部の取付作業に供される作業用孔が貫設されていて、該作業用孔を閉塞するための閉塞片が該縦枠材内部に配設されており、該閉塞片は、該縦枠材内部における上記当接面の内側に固定される基部と、該縦枠材内部における上記室外側側面の内側に当接して上記作業用孔を閉塞する閉塞部とで構成されていて、上記基部が上記当接面を外側から貫通する固定ネジにより固定されているのが望ましい。
なお、上記横桟部材を、異なる素材から成る複数の帯板状部材を上下に組み合わせることにより形成することも可能である。
【発明の効果】
【００１０】
このように、本発明の横引き式面格子装置によれば、２組の格子体の各縦枠材が、上下一対のガイド枠により形成される同一軌道上に直列配置されているため、従来の引き違い式の面格子のように格子体ごとに独立した軌道を確保する必要がなくなり、その結果、面格子として十分な剛性や防犯上の安全性を確保しながらも、ガイド枠を含めた面格子装置全体の厚みを抑制することができ、従来のものと比較して、建物開口部において必要とされる面格子装置の装着幅をより縮小することが可能となる。
【発明を実施するための最良の形態】
【００１１】
図１乃至図１４は、本発明の横引き式面格子装置の第１実施例を示すもので、この第１実施例の面格子装置１は、建物開口部に取り付けられた引き違い式の窓２の室内側に装着されている。この面格子装置１は、一対の縦枠材１１，１２（２１，２２）とこれらの縦枠材を相互に連結する複数の横桟材１３（２３）から成る２組の格子体１０，２０により構成されて、各格子体１０，２０を相互に往復動させることにより建物開口部の横幅方向に拡縮可能な面格子３と、直線状で軸上両端に第一端及び第二端を備えており、建物開口部の上横枠及び下横枠に対しそれぞれ固定的に取り付けられて、該面格子３の各格子体１０，２０を建物開口部の横方向に往復動可能にガイドする上下一対のガイド枠４，５とを有している。
【００１２】
上記上側及び下側ガイド枠４，５は、図８に示すように、その軸方向長さが建物開口部の上横枠及び下横枠の長さとほぼ同じ長さに形成されている。また、上記面格子３は、最も拡張させた状態においては、図８（ｂ）に示すように、上記ガイド枠４，５の軸方向長さよりは横方向の長さが短いが、面格子３全体として上記引き違い式窓２の各窓ガラス部分を覆うことができ、逆に最も収縮させてガイド枠４，５の第一端側に寄せた状態においては、図８（ａ）に示すように、上記引き違い式窓２のクレセント錠６を室内側からの正面視で露出させることができる構成となっており、面格子１が室内側からの窓の施錠操作あるいは解錠操作の妨げとならないようになっている。
【００１３】
上記面格子３は、互いに平行を成す第１縦枠材１１及び第２縦枠材１２、並びに相互に平行を成してこれら縦枠材１１，１２同士を固定的に連結する複数の横桟材１３を備えた第１格子体１０と、互いに平行を成す第３縦枠材２１及び第４縦枠材２２、並びに相互に平行を成してこれら縦枠材２１，２２同士を固定的に連結する複数の横桟材２３を備えた第１格子体２０とで構成されており、これら格子体１０，２０は、外形上、ほぼ同寸法に形成されている。
上記２組の格子体１０，２０における各縦枠材は、上記各ガイド枠４，５の後述する１本のガイド溝４ａ，５ａにより形成された直線状の同一軌道上に、第１縦枠材１１、第３縦枠材２１、第２縦枠材１２、第４縦枠材２２の順で直列配置されていて、第１格子体１０の各横桟材１３が第２格子体２０の第３縦枠材２１に設けられた貫通穴２４に、その軸方向（横方向）に相互移動自在に挿通され、その一方で、第２格子体２０の各横桟材２３が上記第１格子体１０の第２縦枠材１２に設けられた貫通穴１４に、その軸方向（横方向）に相互移動自在に挿通されている。そして、これら格子体１０，２０のうちの何れか一方あるいは双方を横方向に往復動させることにより、面格子３全体の横方向長さを拡縮させることができるようになっている。
【００１４】
上記第１格子体１０の各縦枠材１１，１２、及び第２格子体２０の各縦枠材２１，２２は、それらの上端に設けられ、上記上側ガイド枠４にガイドされる四角柱状の上端キャップ１１ａ，１２ａ（２１ａ，２２ａ）と、それらの下端に設けられ、上記下側ガイド枠５にガイドされる四角柱状の下端キャップ１１ｂ，１２ｂ（２１ｂ，２２ｂ）と、これら上端キャップと下端キャップとの間に配設され、上記横桟材１３（２３）が取り付けられた中空の中間部材１１ｃ，１２ｃ（２１ｃ，２２ｃ）とを有している。
【００１５】
上記各下端キャップ１１ｂ，１２ｂ、２１ｂ，２２ｂにおける後述する下側ガイド枠５の一対のガイド側壁５２，５２と対向する側面には、後述する下側ガイド枠５の鍔部５２ａとの係合により、各縦枠材がガイド溝５ａから抜脱するのを防止するための爪状部３０がそれぞれ突設されている。該爪状部３０はそれぞれ、各下端キャップ１１ｂ，１２ｂ、２１ｂ，２２ｂの両側面から略垂直に立ち上げられていて、これら下端キャップと一体に形成されている。
【００１６】
上記各中間部材１１ｃ，１２ｃ（２１ｃ，２２ｃ）は、互いに背向して上記ガイド枠４，５の長さ方向に開口した断面略コ字形状の枠部材１５，１６（２５，２６）と、該開口に取り付けられてその開口全体を塞ぐ閉蓋部材１７，１８（２７，２８）とでそれぞれ構成されている。そして、これら枠部材における上記開口と反対側に位置する側面、即ち上記閉蓋部材と対向する側面には、上記横桟材１３（２３）が、該枠部材の内部（開口内）側から貫通する固定ネジ１９（２９）によってそれぞれ固定されている。なお、このとき各固定ネジ１９（２９）のネジ頭１９ａ（２９ａ）は、上記閉蓋部材によって外部から隠蔽されている。
【００１７】
また、第２及び第３縦枠材１２（２１）の中間部材１２ｃ（２１ｃ）においては、上記貫通穴１４（２４）がそれぞれ、上記横桟材２３（１３）の横断面形状に合わせて、閉蓋部材１８（２７）と、枠部材１６（２５）における該閉蓋部材１８（２７）と対向する側面とを貫いて開設されている。このとき、これら貫通穴１４（２４）は、上下方向に略等間隔且つ交互に設けられている。即ち、第２縦枠材１２に横桟材１３が固定された高さ位置においては、第３縦枠材２１に貫通穴２４が設けられており、逆に、第３縦枠材２１に横桟材２３が固定された高さ位置においては、第２縦枠材１２に貫通穴１４が設けられている。
さらに、これら第２及び第３縦枠材１２（２１）それぞれにおける上記閉蓋部材１８（２７）と対向する側面は、面格子３を最も拡張した場合に相互に当接する当接面を形成している。なお、本実施例においては、第３縦枠材２１の中間部材２１ｃにおける当接面が、その両側端に、長手方向に沿って設けられた互いに対向する断面略Ｌ字状の突出部３２，３２を含んで形成されており、該突出部３２，３２における互いに内方向に屈曲した先端部分が、実質的に第２縦枠材１２の当接面と当接するようになっている。
【００１８】
ここで、図１４（ａ）に基づき、第２縦枠材１２の中間部材１２ｃを構成する閉蓋部材１８及び枠部材１６についてさらに具体的に説明する。上記閉蓋部材１８は、上記枠部材１６の開口の内幅と略同幅に形成され該開口縁内に嵌め込まれて該開口を閉塞する蓋部１８ａと、該蓋部１８ａの内面側における両側端近傍に長手方向に沿って突設された一対の突起部１８ｂ，１８ｂと、これら突起部１８ｂ，１８ｂから内向きに互いに対向するように突設された一対の係止爪部１８ｃ，１８ｃとを有している。一方、上記枠部材１６は、その両開口縁の内側にそれぞれ設けられて、上記閉蓋部材１８の突起部１８ｂ，１８ｂ及び係止爪部１８ｃ，１８ｃを受け入れ収容する一対の凹溝１６ａ，１６ａと、これら凹溝における内側に位置する溝壁１６ｃの内面から互いに背向して突設された一対の係止突部１６ｂ，１６ｂとを有している。そして、該凹溝１６ａ内において、上記係止爪部１８ｃ，１８ｃと係止突部１６ｂ，１６ｂとが相互に係合することにより、枠部材１６の開口内に閉蓋部材１８の蓋部１８ａがほぼ隙間無く収まった状態で結合されている。
なお、他の縦枠材１１，２１，２２の中間部材１１ｃ，２１ｃ，２２ｃを構成する枠部材１５，２５，２６及び閉蓋部材１７，２７，２８の主な構成及び機能についても、上記第２縦枠材１２のものとほぼ同様であることから、ここでは重複を避けるため説明を省略する。
【００１９】
このように、面格子装置１においては、横桟材１３（２３）の両端を枠部材１５，１６（２５，２６）にそれぞれ固定する固定ネジのネジ頭１９ａ（２９ａ）が、各枠部材内に配置され閉蓋部材により外部から隠蔽されており、しかも、上述のように、閉蓋部材を枠部材の開口内に嵌め込んで係合させることにより、枠部材と閉蓋部材とを容易に分離することができないように構成されている。そのため、たとえ外部から室内に侵入を試みる者が固定ネジ１９（２９）を外して横桟材１３（２３）を取り払おうとしても、容易にこれら固定ネジのネジ頭１９ａ（２９ａ）にアクセスすることができないようになっている。
例えば、第２縦枠材１２の閉蓋部材１８をこじ開けるために、マイナス形のドライバーの先端等を蓋部１８ａと枠部材１６の開口縁との間に差し込んだとしても、その構成上、係止爪部１８ｃを有する突起部１８ｂが、凹溝１６ａ内において、係止突部１６ｂを有する溝壁１６ｃの方向に押圧されるため、係止爪部１８ｃと係止突部１６ｂとがより密着し、相互の係合がより強固なものとなる。その結果、閉蓋部材１８の突起部１８ｂが凹溝１６ａから一層抜け難くなり、閉蓋部材１８を枠部材１６から取り外すことがより困難になる。なお、このことは他の縦枠材についても同様にいえることである。
【００２０】
また、本実施例においては、各縦枠材１１，１２，２１，２２の上記閉蓋部材１７，１８，２７，２８は、各蓋部の中央部に、長手方向に延びる凹状の窪み３１を有しており、この窪み３１が、上記各枠部材の開口において、一対の凹溝間に嵌め込まれ、これら凹溝の溝壁を背面側から支持している。
なお、第２及び第３縦枠材１２，２１の閉蓋部材１８，２７にそれぞれ開設された上記貫通穴１４，２４は、上記窪み３１の底部分に配設されている。
【００２１】
上記各格子体１０，２０の横桟材１３，２３は、何れも単一の素材で帯板状に形成された断面縦長の略矩形状のもので、各格子体１０，２０のそれぞれにおいて、一対の縦枠材１１，１２（２１，２２）間に、ほぼ水平且つ上下方向に略等間隔に配設されていると共に、これら格子体１０，２０を組み合わせて成る面格子３において、両格子体１０，２０の横桟材１３，２３が上下方向に互い違いに配設されている。そのため、面格子３を拡縮させる際に、両格子体１０，２０の横桟材１３，２３同士が互いに干渉し合わないようになっている。
なお、各横桟材１３，２３における軸方向両端の内部にはそれぞれ、図３に示すように、各縦枠材１１，１２，２１，２２への取り付けの際に上記固定ネジ１９，２９が螺挿されるビスポケット３３が上下２個ずつ設けられている。
【００２２】
上記上側ガイド枠４は、図９（ａ）及び図９（ｂ）に示すように、建物開口部の上横枠へ取り付けられる板状の取付部４１と、該取付部４１の長手方向に延びる両側縁から下方に向けて一体に立ち上がる一対のガイド壁４２，４２とを有していて、下方に向けて開口する断面略コ字形に形成されている。
該上側ガイド枠４においては、これら取付部４１と一対のガイド壁４２，４２とにより１本の直線状のガイド溝４ａが形成されており、このガイド溝４ａ内に、各格子体１０，２０における一対の縦枠材１１，１２（２１，２２）の上端部、即ち各上端キャップ１１ａ，１２ａ，２１ａ，２２ａが、該ガイド枠４の軸方向に摺動自在に挿入されている。
また、上記ガイド溝４ａの溝底を形成する取付部４１には、その軸線上の複数箇所に、上側ガイド枠４を上横枠に取り付ける固定ネジ４３を挿通させるためのネジ孔４１ａが穿設されていて、該固定ネジ４３のネジ杆４３ｂをこのネジ孔４１ａにガイド溝４ａ側から挿通させることにより、上側ガイド枠４の取付部４１を上横枠に対して固定することができるようになっている。
【００２３】
上記ガイド溝４ａの開口縁には、図９（ｂ）に示すように、ガイド壁４２，４２の各先端部分をガイド溝４ａ側に折り曲げて成る一対の鍔部４２ａが設けられており、上各格子体１０，２０のスムーズ且つ安定的な移動が確保されるようになっている。
そして、上記各ガイド壁４２，４２の中段部分には、ガイド溝４ａ内に突き出た一対の突出部４２ｂ，４２ｂがそれぞれ設けられており、該突出部４２ｂ，４２ｂ上には、上記取付部４１を貫通する固定ネジ４３のネジ頭４３ａを隠蔽するための上側隠しカバー４５が載置されている。該上側隠しカバー４５は、上記ガイド溝４ａの溝幅と略同幅で、上側ガイド枠４と略同じ軸方向長さを有する板状に形成されており、その軸方向に延びる両側縁を上記突出部４２ｂ，４２ｂの上面に当接させている。そして、後に詳述する一対のガイド枠４，５に対する面格子３の着脱にあたって障害とならぬよう、上記ガイド溝４ａ内において突出部４２ｂ，４２ｂと取付部４１との間で上下に移動自在となっている。
なお、本実施例においは、図９（ｂ）に示すように、この上側隠しカバー４５の軸方向に延びる両側縁の下面側に、一対の立壁４５ａ，４５ａが延設されており、それら立壁４５ａ，４５ａの各先端を上記一対の突出部４２ｂ，４２ｂ上にそれぞれ当接させている。
このように、上側隠しカバー４５で上記取付部４１全面を覆って、該取付部４１がガイド溝４ａの開口側からは目視できないようになっているため、たとえ外部から室内に侵入を試みる者が上側ガイド枠４を取り外そうとしても、この上側隠しカバー４５の存在により、固定ネジ４３のネジ頭４３ａを見つけてそれらを操作することができないようになっている。
【００２４】
上記下側ガイド枠５は、図１０（ａ）及び図１０（ｂ）に示すように、建物開口部の下横枠へ取り付けられる板状の取付部５１と、該取付部の長手方向に延びる両側縁から上方に向けて一体に立ち上がる一対のガイド壁５２，５２とを有していて、上方に向けて開口する断面略コ字状に形成されている。
該下側ガイド枠５においては、これら取付部５１と一対のガイド壁５２，５２とにより１本の直線状のガイド溝５ａが形成されており、このガイド溝５ａ内に、各格子体１０，２０における一対の縦枠材１１，１２（２１，２２）の下端部、即ち各下端キャップ１１ｂ，１２ｂ，２１ｂ，２２ｂが、該ガイド枠５の軸方向に摺動自在に挿入されている。
また、上記ガイド溝５ａの溝底を形成する取付部５１には、その幅方向（短手方向）の略中央に、軸方向に沿って窪んだ凹溝５４が形成されていると共に、該凹溝５４の溝底における軸線上の複数箇所には、下側ガイド枠５を下横枠に取り付ける固定ネジ５５を挿通させるためのネジ孔５１ａが穿設されている。そして、上記固定ネジ５５のネジ杆５５ｂをこのネジ孔５１ａにガイド溝５ａ側から挿通させることにより、下側ガイド枠５の取付部５１を下横枠に対して固定することができるようになっている。ここで、本実施例においては、図１０（ｂ）に示すように、上記ネジ孔５１ａは、上記下横枠に固定した際に固定ネジ５５のネジ頭５５ａが凹溝５４の溝底から突出しないよう、その周囲にネジ頭５５ａを収容する座ぐりを設けて穿設されている。
【００２５】
上記ガイド溝５ａの開口縁には、図１０（ｂ）に示すように、ガイド壁５２，５２の各先端部分をガイド溝５ａ側に折り曲げて成る鍔部５２ａ，５２ａが設けられており、上各格子体１０，２０のスムーズ且つ安定的な移動が確保されるようになっている。
また同時に、該鍔部５２ａは、上述の縦枠材１１，１２，２１，２２の下端キャップ１１ｂ，１２ｂ，２１ｂ，２２ｂに突設された各爪状部３０と協働して、該縦枠材のガイド溝５ａからの抜け止めとしても機能している。即ち、上記各縦枠材の下端部をガイド溝５ａ内に挿入した状態において、上記爪状部３０はガイド溝５ａ内に収容されており、該ガイド溝５ａ内における爪状部３０と鍔部５２ａとの係合により、各縦枠材がガイド溝５ａから抜脱するのを阻止している。
その一方で、各鍔部５２ａ，５２ａには、面格子３を下側ガイド枠５に対して着脱するにあたり、上記爪状部３０を挿通させて上記各縦枠材の下端部をガイド溝内外に挿抜するための切欠き部５３が開設されている。この切欠き部５３は、上記面格子３を収縮させた状態において各縦枠材の爪状部３０を挿通させることができる位置に配設されている。
【００２６】
本実施例の場合、図１１に示すように、面格子３を最も収縮させて上側及び下側ガイド枠４，５の上記第一端側に寄せた状態において、各縦枠材１１，１２，２１，２２をこれらガイド枠４，５に対して着脱することができるように、対応する位置に上記切欠き部５３が開設されている。そこで、一対のガイド枠４，５に対する面格子３の具体的な着脱方法について説明すると、面格子３を装着するにあたっては、該面格子３を最も収縮させた状態で、まず、その上端部を上側ガイド枠４のガイド溝４ａ内に挿入し、次いで、その下端部を、上記各爪状部３０を下側ガイド枠５の上記各切欠き部５３の位置にそれぞれ合わせて、該下側ガイド枠５のガイド溝５ａ内に挿入する。逆に、面格子３を取り外すにあたっては、面格子３を最も収縮させてこれらガイド枠４，５の上記第一端側に寄せ、各爪状部３０を各切欠き部５３の位置にそれぞれ合わせた状態で、まず、該面格子３を持ち上げて、その下端部を下側ガイド枠５のガイド溝５ａから抜き取り、次いで、その上端部を上側ガイド枠４のガイド溝４ａから抜き取る。
【００２７】
上記取付部５１の凹溝５４には、細長板状の下側隠しカバー５６が嵌め込まれていて、これにより、上述した上側ガイド枠４の上側隠しカバー４５と同様に、上記固定ネジ５５のネジ頭５５ａがガイド溝５ａの開口側から隠蔽されている。この下側隠しカバーは、凹溝５４の深さと略同じ厚さ、及び該凹溝５４の溝幅と略同じ幅を有しており、後述するストッパスプリング６０の取り付けスペースを除く凹溝５４の全体を埋めることができる程度の軸方向長さを備えている。そのため、装着状態においては、上記凹溝５４をほぼ段差無く且つ隙間無く埋めることができるようになっている。
なお、上記取付部５１の長手方向に延びる両側縁からは、一対の脚部５１ｂが、上記ガイド壁５２，５２に連続して下方に向けて一体に立設されていて、その先端が、上記ネジ孔５１ａの位置まで達しており、下側ガイド枠５を下横枠に対して固定した状態において、該脚部５１ｂ，５１ｂの先端が下横枠上に当接するようになっている。
【００２８】
さらに、下側ガイド枠５における上記第二端には、該下側ガイド枠５上における面格子３の第二端側への移動範囲を制限する手段として、ストッパスプリング６０が取り付けられている。このストッパスプリング６０は、図１２、図１３（ａ）及び図１３（ｂ）に示すように、上記凹溝５４内に嵌め込まれた板状の基部６１と、該基部６１の一端側に基端側が一体に連結され、該基部６１に対し鋭角を成して弾性的に起倒する板状の跳ね上げ部６２とで構成されていて、下側ガイド枠５の上記第一端側（即ち、面格子３側）に開いた楔状に形成されている。上記ストッパスプリング６０は、図１３（ａ）のように、通常の跳ね上げ部６２の起立状態においては、該跳ね上げ部６２の先端が第１縦枠材１１に当接することにより、面格子３全体の上記第二端側への移動を制限する。その一方で、図１３（ｂ）にように、跳ね上げ部６２を上面側から押圧して倒すことにより、面格子３の上記第二端側への移動制限を解除することができるようになっている。
【００２９】
本実施例のストッパスプリング６０においては、上記基板６１が、上記凹溝５４の深さと略同じ厚さ、及び該凹溝５４の溝幅と略同じ幅を有していて、且つ凹溝の軸方向に若干長い細長板状に形成されており、楔状に開いた側の端面を上記下側隠しカバー５６の端面と当接させた状態で上記凹溝５４内に配置されている。一方、上記跳ね上げ部６２は、上記基板６１と略同じ幅と長さを有しており、また、その先端部には、下方に折れ曲がった折曲部６２ａを備えていて、該折曲部６２ａを第１格子体１０における第１縦枠材１１の側壁に当接させるようになっている。
【００３０】
上記下側ガイド枠５と第１格子体１０の第２縦枠材１２との間には、該第１格子体１０をガイド枠４，５上の所定位置に保持するための位置保持手段６５が設けられており、面格子３を最も拡張させた際に、該面格子３が建物開口部のほぼ中央で引き違い式窓２の窓ガラス部分を覆うことができる適当な位置に、第１格子体１０を位置保持することができるようになっている。なお、本実施例においては、該第１格子体１０を、上記ストッパスプリング６０に当接させた状態で位置保持することができるようになっている。
上記位置保持手段６５は、図３及び図１０（ａ）に示すように、第２縦枠材１２の下端キャップ１２ｂに設けられ、該下端キャップ１２ｂの下面から先端側が出没可能な棒状の保持部材６５ａと、上記下側ガイド枠５の下側隠しカバー５６に穿設された貫通孔６５ｂとで構成されており、該保持部材６５ａの先端側を貫通孔６５ｂ内に挿入することにより、上記第１格子体１０を上記所定位置に保持することができるようになっている。
なお、上記保持部材６５ａは、第２縦枠材１２の室内側の側面に設けられた操作部６５ｃを操作することにより上下方向に移動可能となっている。また、上記貫通孔６５ｂは、上記下側ガイド枠５の取付部５１をも貫通していることが望ましい。
【００３１】
ところで、上記面格子３は、該面格子３を最も拡張させた状態に保持するためのロック機構７０を有している。このロック機構７０は、図１４に示すように、面格子を最も拡張させた状態において相互に当接する第２縦枠材１２と第３縦枠材２１との間に設けられたもので、第３縦枠材２１に取り付けられ、該第３縦枠材２１の内部から第２縦枠材１２との当接面を通じて外部に出没するフック７１を備えた錠部７２と、第２縦枠材１２の第３縦枠材２１との当接面に配設され、上記フック７１と係脱可能に係合する係合部７３とで構成されている。そして、上記錠部７２を室内側から操作して上記フック７１を外部に出没させて、該フック７１を係合部７２に対して係脱させることにより、面格子３を拡張状態に保持したり、又はその保持状態を解除したりすることができるようになっている。
【００３２】
上記錠部７２は、第３縦枠材２１の軸方向中央部における中間部材２１ｃの特に室内側側面に取り付けられており、上記フック７１に加えて、該中間部材２１ｃにおける室内側の側面に露出した操作部７４と、中間部材２１ｃ内に収容されて、該操作部７４の操作によって上記フック７１を当接面から出没させる方向に回動させる駆動部７５とを備えている。上記操作部７４には、室内側に開口する鍵穴７４ａが設けられていて、この鍵穴７４ａに鍵を差し込んで操作し上記駆動部７５を回動させることにより、上記フック７１を該駆動部７の軸廻りに回動させることができるようになっている。
一方、上記係合部７３は、第２縦枠材１２の当接面に設けられた孔を含んで構成されており、該孔内に上記フック７１が挿入されて、例えばその孔の下端縁などに係合することにより、面格子３を拡張状態に保持することができるようになっている。
【００３３】
ここで、上記錠部７２のフック７１及び駆動部７５は、第３縦枠材２１の中間部材２１ｃ内において、室外側から取付用ネジ７６で組み立てられており、錠部７２の着脱作業やメンテナンス作業にあたっては、上記取付用ネジ７６のネジ頭７６ａをドライバー等の工具で操作する必要性がある。しかしながら、このネジ頭７６ａは、中間部材２１ｃの枠部材２５内においてその室外側側面に向けて配置されているため、該室外側側面の存在が上記作業の障害となる。そこで、本実施例では、第３縦枠材２１の室外側側面に、上記作業に供される作業用孔７７を貫設すると共に、作業後において該作業用孔７７を閉塞するための閉塞片７８を、該第３縦枠材２１の内部に着脱可能に取り付けている。
【００３４】
上記閉塞片７８は、図１４（ａ）に示すように、該第３縦枠材２１の内部における第２縦枠材１２との当接面の内側に固定される板状の基部７８ａと、該縦枠材２１の内部における上記室外側側面の内側に当接して上記作業用孔７７を閉塞する板状の閉塞部７８ｂとから成り、断面略Ｌ字状に形成されている。そして、該閉塞片７８の基部７８ａが、該第３縦枠材２１の当接面を貫通する固定ネジ７９により、該当接面の外側から固定されている。また、固定ネジ７９は、第３縦枠材２１の当接面における上記一対の突出部３２，３２の間の空間内に配設されていて、そのネジ頭７９ａがこれらの突出部３２，３２よりも外方に突出しないようになっている。そのため、第２及び第３縦枠材１２，２１の各当接面を互いに当接させた状態、即ち、面格子３を最も拡張させた状態においては、上記固定ネジ７９のネジ頭７９ａが、第２及び第３縦枠材１２，２１の当接面により形成された閉じられた空間内に隠蔽される。
したがって、面格子３を最も拡張させてロック機構７０で施錠した状態においては、外部から室内に侵入を試みる者が、上記固定ネジ７９を緩めて閉塞片７８を取り外し、室外側から上記作業用孔７７を通じて錠部７２を分解、破壊等することにより、該ロック機構７０の施錠状態を解除することができないようになっている。
【００３５】
以上、詳述してきた面格子装置１においては、第１格子体１０及び第２格子体２０の各縦枠材１１，１２，２１，２２が、上下一対のガイド枠４，５それぞれの単一のガイド溝４ａ，５ａにより形成された同一軌道上に直列配置され、該同一軌道上でこれら２組の格子体１０，２０を互いに往復動させることにより、面格子３を拡縮させることができるように構成されているため、従来の引き違い式の面格子装置のように格子体ごとに独立した軌道を確保する必要がなくなり、その結果、面格子３として十分な剛性や防犯上の安全性を確保しながらも、ガイド枠４，５を含めた面格子装置１全体の厚みを抑制することができ、従来のものと比較して、建物開口部において必要とされる面格子装置１の装着幅をより縮小することが可能となる。
なお、上記面格子装置１を構成する各部材は、その防犯機能を確保する上で、十分な剛性を確保する必要性があるため、アルミやステンレス等の金属材料から形成されていることが望ましい。
【００３６】
本実施例においては、本発明の趣旨を逸脱しない範囲で種々の設計変更が可能である。例えば、本実施例では、各縦枠材１１，１２，２１，２２を、上端キャップ１１ａ，１２ａ，２１ａ，２２ａ、下端キャップ１１ｂ，１２ｂ，２１ｂ，２２ｂ、及び中間部材１１ｃ，１２ｃ，２１ｃ，２２ｃで構成しているが、これらを一体に形成したものを縦枠材とすることもできる。また、本実施例では、中間部材１１ｃ，１２ｃ，２１ｃ，２２ｃを構成する閉蓋部材１７，１８，２７，２８の中央に窪み３１が形成されているが、この窪み３１は必ずしも設ける必要は無い。また、本実施例では、スプリングストッパ６０を下側ガイド枠５にのみ設けているが、このストッパスプリング６０は、下側ガイド枠５に代えて上側ガイド枠４のガイド枠４内に設けても良く、あるいは上下側両方のガイド枠にそれぞれ設けても良い。さらに、上記下側ガイド枠５の鍔部５２ａには、上記切欠き部５３の不使用時にそれらを閉じておくためのカバー部材を、それぞれ取り付けておくことが望ましい。さらに、上記ロック機構７０は、錠部７２を第２縦枠材１２に設け、係合部７３を第３縦枠材２１に設けた構成としても良く、また、上記位置保持手段６５については、一方の格子体を所定の位置に固定できれば、第１又は第２格子体のどちらの格子体に設けても良い。
【００３７】
上記第１実施例では、横桟材１３，２３を単一素材により形成しているが、図１５（ａ）〜図１５（ｃ）に示す第２実施例では、異なる素材により形成された複数の帯板状の部材３５，３６（３８，３９）を上下に組み合わせて１本の横桟材３４（３７）とし、その両端を各縦枠材１１，１２（２１，２２）にそれぞれ固定することにより、各格子体１０（２０）を形成している。
なお、ここでは、２つの帯板状部材３５，３６（３８，３９）によって１本の横桟材３４（３７）を形成しているが、該横桟材を３つ以上の帯板状部材を組み合わせることにより形成することも可能である。
【００３８】
具体的には、本第２実施例の面格子装置１においては、各格子体１０（２０）の横桟材３４（３７）として、合成樹脂等の透光性を有する材料に梨地処理等の不透明化処理が施されて形成された第１帯板状部材３５（３８）と、アルミ等の金属材料で形成された第２帯板状部材３６（３９）とを上下に組み合わせて１本としたものが用いられている。ただし、これら帯板状部材を形成する材料は上記のものに限定されること無く、防犯機能を確保することができる範囲で、必要に応じてその他の適切な材料を採用することが可能である。
そして、上記各横桟材３４（３７）は、上記第１実施例と同様に、上記帯板状部材３５，３６（３８，３９）のそれぞれの両端を各縦枠材１１，１２（２１，２２）に固定ネジで固定することにより、該縦枠材に対して取り付けられている。そして、面格子３を最も収縮させた状態においては、各格子体１０，２０の横桟材３４，３７が上下方向に隙間無く且つ交互に配置されるようになっている。
【００３９】
上記横桟材３４（３７）の各第２帯板状部材３６（３９）は、第１帯板状部材３５（３８）よりも大きい厚みを有していて、それぞれの上側及び下側の各端面には、第１帯板状部材３５（３８）の下端部及び上端部を挿入可能な挿入溝３６ａ，３６ｂ（３９ａ，３９ｂ）がそれぞれ凹設されている。これら挿入溝３６ａ，３６ｂ（３９ａ，３９ｂ）は、第１帯板状部材３５（３８）の厚みと略同じ溝幅を有していて、これら挿入溝のうち第２帯板状部材３６（３９）の上側に位置する挿入溝３６ａ（３９ａ）内に上記第１の帯板状部材３５（３８）の下端部が差し込まれ、これにより、上記第１及び第２帯板状部材が組み合わされて１本の横桟材３５（３７）を形成している。
【００４０】
また、面格子３を収縮させた際には、図１５（ｃ）に示すように、第１格子体１０の横桟材３４における第１帯板状部材３５の上端側が、第２格子体２０の横桟材３７における第２帯板状部材３９の下側に位置する挿入溝３９ｂ内に摺動可能に挿入され、同時に、第２格子体２０の横桟材３７における第１帯板状部材３８の上端側が、第１格子体１０の横桟材３４における第２帯板状部材３６の下側に位置する挿入溝３６ｂ内に摺動可能に挿入されるようになっている。
【００４１】
本第２実施例において、第２及び第３縦枠材１２（２１）に穿設された各貫通穴１４，（２４）は、それぞれの横桟材３４（３７）の断面形状に応じた高さや幅を有している。
また、第２格子体２０の最も上側に位置する横桟材については、縦枠材２１，２２の軸方向長さと横桟材３７の高さとの関係から、設置スペースに合わせて第２帯板状部材３９の上部を切除した形を有している。また、第２格子体２０の最も下側に位置する横桟材についても、同様の理由により、第１帯板状部材３８と、配設スペースに合わせて第２帯板状部材３９の下部を切除した形を有する帯板状部材とを組み合わせて形成されている。
【００４２】
なお、本第２実施例における上述した横桟材３４，３７廻りの構成以外の部分については、上記第１実施例と同じ構成及び作用効果を有するため、重複を避けるためここでは説明を省略する。
【図面の簡単な説明】
【００４３】
【図１】本発明に係る横引き式面格子装置の第１実施例を示す斜視図であり、面格子３を最も拡張した状態を示している。
【図２（ａ）】図１における一部破断正面図である。
【図２（ｂ）】図１における横断面図である。
【図３】図１における側断面図である。
【図４】本発明の第１実施例における面格子を拡縮する途中段階を示す斜視図である。
【図５（ａ）】図４における正面図である。
【図５（ｂ）】図４における横断面図である。
【図６】本発明の第１実施例における面格子を最も縮小した状態を示す斜視図である。
【図７（ａ）】図６における正面図である。
【図７（ｂ）】図６における横断面図である。
【図８（ａ）】本発明に係る面格子装置を建物開口部に装着した状態を示す横断面図であり、面格子を最も縮小した状態を示している。
【図８（ｂ）】同じく、面格子を最も拡張した状態を示している。
【図９（ａ）】本発明の第１実施例における上側ガイド枠を示す一部破断斜視図である。
【図９（ｂ）】同じく、側断面図である。
【図１０（ａ）】本発明の第１実施例における下側ガイド枠を示す一部破断斜視図である。
【図１０（ｂ）】同じく、側断面図である。
【図１１】面格子を下側ガイド枠に取り付ける状態を示す要部斜視図である。
【図１２】スプリングストッパを下側ガイド枠に取り付けた状態を示す一部破断斜視図である。
【図１３（ａ）】スプリングストッパの跳ね上げ部を起立させて、それに第１縦枠材を当接させた状態を示す一部断面図である。
【図１３（ｂ）】スプリングストッパの跳ね上げ部を倒した状態を示す一部断面図である。
【図１４（ａ）】ロック機構を示す要部拡大横断面図である。
【図１４（ｂ）】同じく、要部拡大縦断面図である。
【図１５（ａ）】本発明の第２実施例における面格子を最も拡張した状態を示す正面図である。
【図１５（ｂ）】同じく、面格子を最も縮小した状態を示す正面図である。
【図１５（ｃ）】同じく、側断面図である。
【符号の説明】
【００４４】
１  横引き式面格子装置
３  面格子
４  上側ガイド枠
５  下側ガイド枠
４ａ，５ａ  ガイド溝
１０  第１格子体
１１  第１縦枠材
１２  第２縦枠材
１３，２３，３４，３７  横桟材
１４，２４  貫通穴
２０  第２格子体
２１  第３縦枠材
２２  第４縦枠材
【図１】
0004478659.tif 000002
【図２（ａ）】
0004478659.tif 000003
【図２（ｂ）】
0004478659.tif 000004
【図３】
0004478659.tif 000005
【図４】
0004478659.tif 000006
【図５（ａ）】
0004478659.tif 000007
【図５（ｂ）】
0004478659.tif 000008
【図６】
0004478659.tif 000009
【図７（ａ）】
0004478659.tif 000010
【図７（ｂ）】
0004478659.tif 000011
【図８（ａ）】
0004478659.tif 000012
【図８（ｂ）】
0004478659.tif 000013
【図９（ａ）】
0004478659.tif 000014
【図９（ｂ）】
0004478659.tif 000015
【図１０（ａ）】
0004478659.tif 000016
【図１０（ｂ）】
0004478659.tif 000017
【図１１】
0004478659.tif 000018
【図１２】
0004478659.tif 000019
【図１３（ａ）】
0004478659.tif 000020
【図１３（ｂ）】
0004478659.tif 000021
【図１４（ａ）】
0004478659.tif 000022
【図１４（ｂ）】
0004478659.tif 000023
【図１５（ａ）】
0004478659.tif 000024
【図１５（ｂ）】
0004478659.tif 000025
【図１５（ｃ）】
0004478659.tif 000026